(57)【要約】      （修正有）【課題】撮像機能の変更した設定値をディスプレイ上で判別する。【解決手段】操作部及び表示部を有し、撮像機能を設定するための複数のメニューを階層の異なる複数のメニュー画面に分割し、これらのメニュー画面を前記操作部によるメニュー選択操作に応じて選択的に前記表示部に表示する撮像装置において、前記複数のメニュー画画の設定値を記憶する第１および第２記憶手段と、該第１および第２記憶手段の設定値を比較する比較手段とを有し、前記操作部の操作により、前記メニュー画面に前記比較手段の比較結果を表示することを特徴とする撮像装置である。【選択図】図３
2006114953.tif 000002
【特許請求の範囲】
【請求項１】
操作部及び表示部を有し、撮像機能を設定するための複数のメニューを階層の異なる複数のメニュー画面に分割し、これらのメニュー画面を前記操作部によるメニュー選択操作に応じて選択的に前記表示部に表示する撮像装置において、
前記複数のメニュー画画の設定値を記憶する第１および第２記憶手段と、該第１および第２記憶手段の設定値を比較する比較手段とを有し、
前記操作部の操作により、前記メニュー画面に前記比較手段の比較結果を表示することを特徴とする撮像装置。
【発明の詳細な説明】
【技術分野】
【０００１】
本発明は、テレビジョンカメラなどの撮像装置に係わり、特に撮像機能の各種設定を行うためのメニュー画面表示に関するものである。
【背景技術】
【０００２】
一般に業務用のテレビジョンカメラは撮像機能の設定項目が多く、また設定内容が複雑である。そこで従来では、例えばテレビジョンカメラの撮像機能の設定項目を設定するためのディスプレイ上に選択肢を表示し、その選択肢を操作者に選択させることによって上記テレビジョンカメラの撮像機能の設定項目を設定変更するようにしたシステムが提案されている(例えば、特許文献1を参照。)。
【特許文献１】特開平１１−１７７９７３号公報
【発明の開示】
【発明が解決しようとする課題】
【０００３】
前述の従来技術には、撮像機能の設定値をディスプレイ上に選択肢を表示し、設定値を変更することができたが、ユーザが変更した設定値を判別することができなかった。
本発明の目的は、変更した撮像機能の設定値をディスプレイ上で標準設定値とユーザが変更した設定値を判別することにある。
【課題を解決するための手段】
【０００４】
本発明は、操作部及び表示部を有し、撮像機能を設定するための複数のメニューを階層の異なる複数のメニュー画面に分割し、これらのメニュー画面を前記操作部によるメニュー選択操作に応じて選択的に前記表示部に表示する撮像装置において、前記複数のメニュー画画の設定値を記憶する第１および第２記憶手段と、該第１および第２記憶手段の設定値を比較する比較手段とを有し、前記操作部の操作により、前記メニュー画面に前記比較手段の比較結果を表示することを特徴とする撮像装置である。
【発明の効果】
【０００５】
本発明によれば、撮像機能の標準設定値とユーザが変更した設定値とをディスプレイ上で判別することができる。
【発明を実施するための最良の形態】
【０００６】
本発明の一実施例を図１で説明する。
図１は、この発明に係わる撮像装置の一実施形態であるディジタルテレビジョンカメラを示す外観図である。テレビジョンカメラ１は、本体１１にレンズ群１２及びビューファインダ１３を装着したものとなっている。本体１１には、メニュー操作器１４と、調整スイッチ群１５と、外部入力／出力端子群１６が設けられている。
【０００７】
メニュー操作器１４には、図２に示すようにファンクションボタン２１と、上ボタン２２、下ボタン２３、右ボタン２４及び左ボタン２５からなるメニュー選択キーと、ファンクション切替スイッチ群２６が設けられている。このうちファンクションボタン２１は、ファンクションメニューを表示するときや選択されたメニューを決定するときに使用される。メニュー選択キーは、表示されたメニューの中から所望のメニューを選択するときに使用される。
【０００８】
なお、調整スイッチ群１５は、ホワイトバランスを調整するためのスイッチや、現在設定中の撮像条件等をチェックするためのチェックボタン等により構成される。
ユーザは、これらのボタン、キーやスイッチを操作して撮像機能の設定値を設定する。
【０００９】
ところで、テレビジョンカメラ１の回路部は次のように構成される。図３はその構成を示すブロック図である。すなわち、固体撮像素子（ＣＣＤ；Charge Coupled Device）１２により取り込まれた映像信号は、映像信号処理回路３１において画質等を調整するための映像信号処理が施されたのち、合成器３５に供給される。
【００１０】
一方、メニュー操作器１５における操作情報は、中央処理ユニット（ＣＰＵ；Central Processing Unit）３２に取り込まれる。ＣＰＵ３２は、上記入力された操作情報に応じてメモリ３３から対応するメニュー画面の表示データを読み出し、この読み出されたメニュー画面の表示データをキャラクタジェネレータ３４に与える。キャラクタジェネレータ３４は、上記与えられたメニュー画面の表示データに応じて文字データを生成し、この生成された文字データを上記合成器３５へ出力する。
【００１１】
合成器３５は、上記映像信号処理回路３１から出力された映像データに上記キャラクタジェネレータ３４から出力されたメニュー画面を表す文字データを合成し、この文字データが合成された映像データを映像信号出力回路３６へ出力する。映像信号出力回路３６は、上記文字データが合成された映像データをビューファインダ１３に供給して表示させる。なお、出力端子１６の一つに外部モニタ１７（図１では図示せず）が接続されている場合には、上記映像信号出力回路３６は上記文字データが合成された映像データを上記外部モニタ１７にも供給して表示させる。
【００１２】
ところで、ＣＰＵ３２はこの発明に係わる新たな制御機能として、メニュー画面で工場出荷時等の標準設定値とユーザの変更した設定値を判別できる制御機能を備えている。なお、これらの制御機能はいずれも、メモリ３３に格納されたアプリケーション・プログラムをＣＰＵ３２に実行させることにより実現される。
【００１３】
また、メニュー画面に表示される工場出荷時等の標準設定値とユーザの変更した設定値は、ＣＰＵ３２によりメモリ３３に記憶される。
テレビジョンカメラ１は、ユーザの変更した設定値とユーザが変更しない標準設定値により制御される。
【００１４】
次に、以上のように構成された装置によるメニュー表示動作の一実施例を説明する。
図４は標準設定値のメニュー画面である。図５は標準設定値とユーザが変更した設定値を判別できるように表示されたメニュー画面である。図６は本発明の撮像装置において実行されるメニュー表示制御の手順と内容の一実施例を示すフローチャートである。
【００１５】
メニュー画面は階層構造をなす。例えば、図４に示すようにメインメニュー画面Ｍ１〜Ｍ４と、これらのメインメニュー画面Ｍ１〜Ｍ４から分岐される複数のサブメニュー画面Ｓ１１〜Ｓ４３とから構成される。
【００１６】
撮像条件等の機能の設定を行うために、ユーザがメニュー操作器１４のファンクションボタン２１を５秒未満押下したとする。そうすると、先ず初期状熊では、上記階層化された複数のメニュー画面のうち最上位階層に位置するメインメニュー画面Ｍ１がメモリ３３から読み出されてビューファインダ１３に表示される。この状態で、ユーザがメニュー操作器１４の右ボタン２４又は左ボタン２５を押下すると、その操作ごとにメインメニュー画面Ｍ１〜Ｍ４が順次メモリ３３から読み出されてビューファインダ１３に表示される。
【００１７】
図４および図５において、ビューファインダ１３またはモニタ１７に表示されるメインメニュー画面またはサブメニュー画面は、ユーザの操作に応じて矢印の示す方向に切替えられる。
【００１８】
各メニュー画面は、１行目のメニュータイトルと、２行目以降の複数のメニュー項目とから構成される。これらメニュータイトル又は複数のメニュー項目の先頭位置にはカーソル（図中の黒四角）が表示される。このカーソルは、メニュー操作器１４の上ボタン２２又は下ボタン２３の押下により上下に移動する。そして、カーソルが目的とするメニュー項目に移動した状態で、メニュー操作器１４の右ボタン２４又は左ボタン２５が押下されると、当該メニュー項目の機能が設定される。また、矢印（−＞）が表示されているメニュー項目にカーソルが表示された状態で右ボタン２４が押下されると、サブメニュー画面Ｓ１１〜Ｓ４３が選択的にビューファインダ１３に表示される。そして、この状態で上ボタン２２又は下ボタン２３が押下されるとカーソルが上下に移動し、さらにカーソルが目的とする設定内容に移動したところで右ボタン２４又は左ボタン２５が押下されると、当該サブメニュー項目の機能が設定される。
【００１９】
次にユーザが、撮像条件等の機能の設定変更を行うための手順について説明する。ユーザがメニュー操作器１４のファンクションボタン２１を５秒未満押下したとする。そうすると、ＣＰＵ３２がステップＳ５ｂでＮｏと判断して、ステップＳ５ｅに移行する。ＣＰＵ３２はビューファインダ１３にメインメニューＭ１を表示させる。ユーザはメインメニューＭ１を見ながらメニュー操作器１４の下ボタン２３を押下げカーソルを項目３に移動させる。そして右ボタン２４を押下げる。そうするとＣＰＵ３２はステップＳ５fに移行し、ビューファインダ１３にサブメニューＳ１１を表示させる。そしてユーザはカーソルを下ボタン２３で項目１に移動させる。そして左ボタン２５を複数回押下げて、数値を“８０”から“４０”に変更する。ユーザは同様にメニュー操作器１４を操作して、メインメニュー画面Ｍ２の項目２の設定を“ＯＮ”から“ＯＦＦ”に、サブメニュー画面Ｓ４２の項目１の数値を“８０”から“Ａ０”に設定変更したとする。ＣＰＵ３２はメモリ３３にユーザが設定変更した値を記憶する。
【００２０】
次に、サービスマンがユーザの変更した設定値を確認したい場合について図２、図５、図６を用いて説明する。サービスマンはメニュー操作器１４のファンクションボタン２１を５秒以上押下する。そうすると、ＣＰＵ３２はステップＳ５ｂからステップＳ５ｃに移行し、ビューファインダ１３に図５に示すサブメニュー画面Ｓ１１が表示される。そしてＣＰＵ３２はステップＳ５dに移行し、メモリ３３に記憶してあるユーザの変更した設定値を読み出し、サブメニュー画面Ｓ１１の項目１の数値“４０”を太字で表示する。太字で表示された箇所がユーザの設定変更した項目であるため、サービスマンはビューファインダ１３上で変更箇所を確認することができる。次にサービスマンがメニュー操作器１４の下ボタン２３を押下されると、ＣＰＵ３２はメモリ３３に記憶してあるユーザの変更した設定値を読み出し、ビューファインダ１３にメインメニュー画面Ｍ２の項目２の“ＯＦＦ”を太字で表示する。更にサービスマンがメニュー操作器１４の下ボタン２３を押下されると、ＣＰＵ３２はメモリ３３に記憶してあるユーザの変更した設定値を読み出し、ビューファインダ１３にサブメニュー画面Ｓ４２の項目１の数値“Ａ０”を太字で表示する。また更にサービスマンがメニュー操作器１４の下ボタン２３を押下されると、ＣＰＵ３２はビューファインダ１３には最初のサブメニュー画面Ｓ１１を表示する。
【００２１】
次に本発明の他の一実施例について図２〜図５を用いて説明する。この実施例はユーザが変更した設定値をユーザが確認できるものである。
ユーザが撮像条件等の機能の設定変更を行うため、図２のメニュー操作器１４のファンクションボタン２１を押下したとする。そうすると、図３のＣＰＵ３２はビューファインダ１３に図４のメインメニューＭ１を表示させる。ユーザはメインメニューＭ１を見ながらメニュー操作器１４の下ボタン２３を押下げカーソルを項目３に移動させる。そして右ボタン２４を押下げる。そうするとＣＰＵ３２はビューファインダ１３にサブメニューＳ１１を表示させる。そしてユーザはカーソルを下ボタン２３で項目１に移動させる。そして左ボタン２５を複数回押下げて、数値を“８０”から“４０”に変更する。ＣＰＵ３２はメモリ３３にユーザが設定変更した値を記憶するとともに、図５に示すようにサブメニュー画面Ｓ１１の項目１の数値“４０”を太字で表示する。
【００２２】
この状態からユーザが図２の右ボタン２４を複数回押下げて、数値を“４０”から標準設定値の“８０”に戻したとする。ＣＰＵ３２はメモリ３３に記憶してあるユーザが設定変更した値を削除するとともに、図４に示すようにサブメニュー画面Ｓ１１の項目１の数値“８０”を設定変更する前と同じ太さの文字で表示する。
【００２３】
上記実施例では、ユーザの変更した設定値を始めから太字で表示したが、この機能をメニュー画面上でＯＮ／ＯＦＦできるようにしてもよい。
本実施例では、メニュー画面にユーザが設定変更した設定値を太字で表示したが、文字は白黒反転、斜体、色付け、アンダーライン付加、点滅等の判別できるものであればよいことは言うまでもない。また判別の表示方法を選択できるようにしてもよい。
【００２４】
その他、表示制御の各手順と内容、メニュー画面の階層構造等についても、この発明の要旨を逸脱しない範囲で種々変形して実施できる。
要するにこの発明は、上記実施形態そのままに限定きれるものではなく、実施段階ではその要昏を逸脱しない範囲で構成要素を変形して具体化できる。また、上記実施形態に開示されている複数の構成要秦の適宜な組み合せにより種々の発明な形成できる。例えば、実施形態に示される全構成要素から幾つかの構成要素を削除してもよい。さらに、異なる実施形態に亘る構成要素を適宜組み合せてもよい。
【００２５】
本発明はサービスマン等の保守員が保守後、ユーザの設定変更した設定値に容易に戻し、確認することもできる。
以上本発明について詳細に説明したが、本発明は、ここに記載された撮像装置に限定されるものではなく、上記以外の撮像装置に広く適用することができることは言うまでもない。
【図面の簡単な説明】
【００２６】
【図１】本発明に係わる撮像装置の一実施形態であるデジタルテレビジョンカメラの外観を示す図。
【図２】図１に示す撮像装置に設けられるメニュー操作器の構成を示す図。
【図３】図１に示した掃像装置の回路構成を示すブロック図。
【図４】図２に示した回路により表示される標準設定値のメニュー画面。
【図５】図２に示した回路において、標準設定値とユーザが変更した設定値を判別できるように表示されるメニュー画面。
【図６】図２に示した回路において実行されるメニュー表示制御の手順と内容を示すフローチャート。
【符号の説明】
【００２７】
１：テレビジョンカメラ、１１：本体、１２：レンズ群、１３：ビューファインダ、１４：メニュー操作器、１５：調整スイッチ群、１６：外部入力／出力端子、１７：外部モニタ、２１：ファンクションボタン、２２：上ボタン、２３：下ボタン、２４：右ボタン、２５：左ボタン、２６：ファンクション切替スイッチ群、３１：映像信号処理回路、３２：ＣＰＵ、３３：メモリ、３４：キヤラクタジェネレータ、３５：合成器、３６：映像信号出力回路、１７：外部モニタ、Ｍ１〜Ｍ４：メインメニュー画面、Ｓ１１〜Ｓ４３：サブメニュー画面。
【図１】
2006114953.tif 000003
【図２】
2006114953.tif 000004
【図３】
2006114953.tif 000005
【図４】
2006114953.tif 000006
【図５】
2006114953.tif 000007
【図６】
2006114953.tif 000008